(57)【要約】【課題】商品の補充が効率良くできる商品吊り下げフック用アタッチメント及び商品吊り下げフックを提供する。【解決手段】本発明にかかる商品吊り下げフック用アタッチメント１７は、係合部２３と、固定部２５とを備え、係合部２３は、上方に位置する上側商品吊り下げフック３に係合し、上側商品吊り下げフック３の前後方向にスライド自在であり、固定部２５は、下方に位置する下側商品吊り下げフック９の商品吊り下げ部１５の後側に固定するものである。【選択図】図１
2020116342.tif 000002
【特許請求の範囲】
【請求項１】
係合部と、固定部とを備え、係合部は、上方に位置する上側商品吊り下げフックに係合し、上側商品吊り下げフックの前後方向にスライド自在であり、固定部は、下方に位置する下側商品吊り下げフックの商品吊り下げ部の後側に固定するものであることを特徴とする商品吊り下げフック用アタッチメント。
【請求項２】
商品吊り下げ部と、商品吊り下げ部に設けた係合部とを備え、係合部は、上方に位置する上側商品吊り下げフックに係合し、上側商品吊り下げフックの前後方向にスライド自在であり、商品吊り下げ部は、上側商品吊り下げフックの下方に位置していることを特徴とする商品吊り下げフック。
【発明の詳細な説明】
【技術分野】
【０００１】
本発明は、商品吊り下げフック用アタッチメント及び商品吊り下げフックに関する。
【背景技術】
【０００２】
非特許文献１には、商品陳列棚に固定された商品吊り下げフックが開示されている。
【先行技術文献】
【非特許文献】
【０００３】
【非特許文献１】第２０４頁「タテヤマアドバンス  タテヤマゴンドラ  店舗用陳列什器総合カタログ２０１５−２０１６」商品コード０９８２２１ＳＥ  三協立山株式会社  タテヤマアドバンス社  ２０１５年  ５月５日発行
【発明の概要】
【発明が解決しようとする課題】
【０００４】
かかる非特許文献１の商品吊り下げフックには、効率良く商品を補充することが求められていた。
【０００５】
そこで、本発明は、商品の補充が効率良くできる商品吊り下げフック用アタッチメント及び商品吊り下げフックの提供を目的とする。
【課題を解決するための手段】
【０００６】
請求項１に記載の発明は、係合部と、固定部とを備え、係合部は、上方に位置する上側商品吊り下げフックに係合し、上側商品吊り下げフックの前後方向にスライド自在であり、固定部は、下方に位置する下側商品吊り下げフックの商品吊り下げ部の後側に固定するものであることを特徴とする商品吊り下げフック用アタッチメントである。
【０００７】
請求項２に記載の発明は、  商品吊り下げ部と、商品吊り下げ部に設けた係合部とを備え、係合部は、上方に位置する上側商品吊り下げフックに係合し、上側商品吊り下げフックの前後方向にスライド自在であり、商品吊り下げ部は、上側商品吊り下げフックの下方に位置していることを特徴とする商品吊り下げフックである。
【発明の効果】
【０００８】
請求項１及び２に記載の発明によれば、商品を補充するときには、商品吊り下げ部を上側商品吊り下げフックの前方にスライドさせて、前方に配置することで前方からの商品補充が効率良くできる。
【図面の簡単な説明】
【０００９】
【図１】本発明の実施の形態にかかる下側商品吊り下げフックを上側商品吊り下げフックに取付けた状態を前方から見た斜視図であり、（ａ）は商品を陳列した状態、（ｂ）は商品を補充するときの状態である。
【図２】図１（ａ）に示す下側商品吊り下げフックを上側商品吊り下げフックに取付けた状態を後方から見た斜視図である。
【図３】上側商品吊り下げフックに下側商品吊り下げフックを取り付ける手順を示す図であり、（ａ）は上側商品吊り下げフックに下側商品吊り下げフックを取り中の状態であり、（ｂ）は取り付け後の状態を示す斜視図である。
【図４】商品吊り下げフック用アタッチメントを商品吊り下げ部の後側に取り付ける手順を示す図であり、（ａ）は取り付け初期、（ｂ）は取り付け途中、（ｃ）は取り付けた状態である。
【図５】商品吊り下げフック用アタッチメントの図であり、（ａ）は側面図、（ｂ）は平面図、（ｃ）は底面図、（ｄ）は後面図である。
【図６】図７に示すＡ部の拡大図である。
【図７】商品陳列棚の斜視図である。
【発明を実施するための形態】
【００１０】
以下に、添付図面の図１〜図７を参照して、本発明の実施の形態を説明する。尚、図７では、各商品吊り下げ部に吊り下げている商品５は省略している。  
図７に示すように、日常品や小物等の商品を販売する店舗等では、商品陳列棚１に設けられた商品陳列具２に商品５（図６参照）を吊り下げて陳列している。商品５は包装体に収納されており、包装体には吊り下げ孔５ａ（図６参照）が形成されている。  
図６に示すように、商品陳列棚１には、商品陳列具２を取り付ける取り付けバー７が上下に間隔をあけて複数段設けられている。各取り付けバー７は縦断面が矩形であり、左右を長くして配置されている。  
商品陳列具２は、上側商品吊り下げフック３と下側商品吊り下げフック（商品吊り下げフック）９とから構成されており、取り付けバー７には、上側商品吊り下げフック３の固定部１３（後述する）が固定されている。  
尚、本実施の形態では、後述するように上側商品吊り下げフック３に対して下側商品吊り下げフック（商品吊り下げフック）９が前後方向にスライド自在に設けてあり、図６では最も右側にある商品陳列フックでは、下側商品吊り下げフック（商品吊り下げフック）９が前方にスライドした状態を示している。  
【００１１】
図１（ａ）及び図２に示すように、上側商品吊り下げフック３は、後側から前側に向けて水平に延出しており、断面円形を成す棒状の鋼材で形成されている。上側商品吊り下げフック３の前側端部３ａは上方に向けて略直角に形成されている。  
また、上側商品吊り下げフック３の後側端部には、商品陳列棚１の取り付けバー７に固定する固定部１３が設けられている。固定部１３は、断面略コ字形状を成す本体部１３ａと、本体部１３ａの下部に下方から螺合したねじ１３ｃ（図２参照）を操作部１３ｂで回して螺進することで取り付けバー７に締め付け固定してある。  
【００１２】
下側商品吊り下げフック９は、商品吊り下げ部１５と、商品吊り下げ部１５に設けた商品吊り下げフック用アタッチメント１７とを備えている。  
商品吊り下げ部１５は、後側から前側に向けて水平に延出しており、断面円形を成す棒状の鋼材で形成されている。商品吊り下げ部１５の前側端部１５ａは上方に向けて傾斜して形成されている。  
商品吊り下げ部１５の後側部には、商品吊り下げフック用アタッチメント１７の固定部２５（後述する）が固定される被固定部２１が設けてある。被固定部２１は、縦断面が下方を開口したコ字形状を成しており、商品陳列棚１の取り付けバー７に上から嵌め入れて取付け可能なものである。即ち、この実施の形態では、下側商品吊り下げフック９の商品吊り下げ部１５は、被固定部２１を商品陳列棚の取り付けバー７に取り付けることで、単独の商品吊り下げフックとして使用可能なものである。  
【００１３】
図１及び図５に示すように、商品吊り下げフック用アタッチメント１７は、係合部２３と、固定部２５を備えている。係合部２３と固定部２５は、硬質樹脂材で一体成型されている。  
係合部２３は、上方に位置する上側商品吊り下げフック３に係合し、上側商品吊り下げフック３の前後方向にスライド自在であり、吊り下げ部２７と、案内部２９とを備えている。  
吊り下げ部２７は、断面半円形を成し、上側に半円形状の凹みを有する湾曲形状である。この吊り下げ部２７は上側商品吊り下げフック３に上から係合して、吊り下げるものである。  
案内部２９は、吊り下げ部２７の後側に間隔をあけて設けてあり、上側商品吊り下げフック３の移動を案内するものであり、上に開口した溝２９ａ（図５参照）が形成されており、溝２９ａに上側商品吊り下げフック３を挿通している。  
【００１４】
図４及び図５に示すように、固定部２５は、断面略Ｌ字形状を成し、Ｌ字の一側部２５ａを上にし、他側部２５ｂを後側に配置している。一側部２５ａの前側端部には、被固定部２１の前側上端に係止する前側係止部３１ａが設けてあり、他側部２５ｂの下端には、被固定部２１の後側下端に係止する後側係止部３１ｂが設けてある。  
尚、符号２８は、下側商品吊り下げフック９の商品吊り下げ部１５に対して商品吊り下げフック用アタッチメント１７の取り付け位置が左右に振れないように規制する振れ規制部である。  
【００１５】
次に、図４を参照して、本実施の形態にかかる商品吊り下げフック用アタッチメント１７を下側商品吊り下げフック９の商品吊り下げ部１５に取り付ける手順について説明する。  
まず、図４（ａ）に示すように、商品吊り下げフック用アタッチメント１７の吊り下げ部２７と固定部２５との間に商品吊り下げ部１５の前側端部１５ａを後側から挿入し、商品吊り下げフック用アタッチメント１７を商品吊り下げ部１５の後側に配置する。そして、吊り下げ部２７を斜め下向きにするようにして、商品吊り下げフック用アタッチメント１７を傾ける。  
次に、図４（ｂ）に示すように、商品吊り下げフック用アタッチメント１７の固定部２５において、前側係止部３１ａを被固定部２１の前側上端に掛けて、ここを中心に固定部２５の他側部２５ｂを下方に向けて回転し（矢印Ｅ）、図４（ｃ）に示すように、後側係止部３１ｂを被固定部２１の後側下端に係止する。  
このようにして、下側商品吊り下げフック９では、商品吊り下げ部１５の後側に商品吊り下げフック用アタッチメント１７を取り付ける。  
【００１６】
次に、下側商品吊り下げフック（商品吊り下げフック）９を上側商品吊り下げフック３に取り付ける手順について説明する。  
図３（ａ）に示すように、商品陳列棚１の取り付けバー７に固定部１３を固定した上側商品吊り下げフック３の前側端部３ａを、下側商品吊り下げフック９の係合部２３と固定部２５との間に挿通する。  
上側商品吊り下げフック３の前側端部３ａの挿通は、下側商品吊り下げフック９において、商品吊り下げ部１５の前側端部１５ａを上側に傾斜させて配置し、矢印Ａに示すように、上側商品吊り下げフック３の前側端部３ａを、下に向けて回転する。  
これにより、図３（ｂ）に示すように、吊り下げ部２７が上から上側商品吊り下げフック３に係合し、案内部２９の溝２９ａ（図５（ｄ）参照）に上から上側商品吊り下げフック３が挿入される。  
下側商品吊り下げフック９は、吊り下げ部２７が上側商品吊り下げフック３に上から係合し、案内部２９の溝２９ａが上側商品吊り下げフック３の下面を受けているので、下側商品吊り下げフック９の商品吊り下げ部１５は上側商品吊り下げフック３に対して水平に維持されると共に商品吊り下げ部１５の前側端部１５ａが下方に向けて回転するのを防止する。  
【００１７】
次に、本実施の形態にかかる下側商品吊り下げフック（商品吊り下げフック）９の商品の補充について説明する。  
図１（ｂ）に示すように、商品５を補充するときには、矢印Ｂに示すように、上側商品吊り下げフック３に対して、係合部２３を前方向にスライドし、下側商品吊り下げフック９の商品吊り下げ部１５を上側商品吊り下げフック３の前側端部３ａよりも前側に移動する。  
この状態で、商品吊り下げ部１５の前側端部１５ａに商品５の吊り下げ孔５ａを挿入して、所定の数の商品５を吊り下げる。  
その後、商品５を吊り下げた下側商品吊り下げフック９を上側商品吊り下げフック３に対して後方にスライドして（矢印Ｂと反対方向にスライド）、図１（ａ）に示すように、上側商品吊り下げフック３の下に下側商品吊り下げフック９の商品吊り下げ部１５を配置して補充した商品５を陳列する。  
【００１８】
次に、本実施の形態にかかる商品吊り下げフック用アタッチメント１７及び下側商品吊り下げフック（商品吊り下げフック）９の作用効果について説明する。  
図１に示すように、商品吊り下げ部１５に商品５を補充するときには、商品吊り下げ部１５を上側商品吊り下げフック３の前方にスライドさせて、前方に配置することで上側商品吊り下げフック３が邪魔にならないので、前方からの商品補充が効率良くできる。  
下側商品吊り下げフック（商品吊り下げフック）９は、商品吊り下げ部１５の後側に商品吊り下げフック用アタッチメント１７を取り付けることで容易に組立てできる。  
【００１９】
下側商品吊り下げフック（商品吊り下げフック）９は、商品陳列棚１の取り付けバー７に取り付けて使用する既存の商品吊り下げフックの被固定部２１に商品吊り下げフック用アタッチメント１７の固定部２５を取り付けて用いることができるので、利便性が良い。
商品吊り下げフック用アタッチメント１７は、上側商品吊り下げフック３との係合部２３と、下側商品吊り下げフック９の商品吊り下げ部１５の後側に固定する固定部２５とを有する構成であるから構成が簡易である。  
商品吊り下げフック用アタッチメント１７の係合部２３は、吊り下げ部２７と間隔をあけて設けた案内部２９とで、上側商品吊り下げフック３をスライドするから、左右の振れを防止して安定にスライドできる。  
商品吊り下げフック用アタッチメント１７は、前側係止部３１ａを被固定部２１の前側上端に係止し、後側係止部３１ｂを被固定部２１の後側下端に係止することで、ワンタッチで簡単に取り付けできる。  
【００２０】
本発明は、上述した実施の形態に限らず、本発明の要旨を逸脱しない範囲で種々変形可能である。  
例えば、下側商品吊り下げフック９の商品吊り下げ部１５や上側商品吊り下げフック３は、断面円形に限らず、断面が６角形や４角形等の多角形であって良い。  
上側商品吊り下げフック３の前側端部３ａには、商品の価格や商品名等の商品情報を障子したカードを取付けても良い。  
【符号の説明】
【００２１】
３    上側商品吊り下げフック
５    商品
９    下側商品吊り下げフック（商品吊り下げフック）
１５  商品吊り下げ部
１７  商品吊り下げフック用アタッチメント
２３  係合部
２５  固定部
【図１】
2020116342.tif 000003
【図２】
2020116342.tif 000004
【図３】
2020116342.tif 000005
【図４】
2020116342.tif 000006
【図５】
2020116342.tif 000007
【図６】
2020116342.tif 000008
【図７】
2020116342.tif 000009